(57)【要約】【課題】全体的なサイズが大きくなることを抑えつつフローティング量を大きくする。【解決手段】コネクタは、接続対象物に取り付けられる固定ハウジング、固定ハウジングに対して相対的に移動する可動ハウジング、及び、対応付けて配置された少なくとも一対のコンタクト１０５Ａ，１０５Ｂとを備える。コンタクト１０５Ａ，１０５Ｂの各々は、固定ハウジングに固定される第１被保持部１２３Ａ，１２３Ｂ、可動ハウジングに固定される第２被保持部１２４Ａ，１２４Ｂと、第１被保持部１２３Ａ，１２３Ｂと第２被保持部１２４Ａ，１２４Ｂとの間を接続する弾性変形部１２５Ａ，１２５Ｂとを含む。弾性変形部１２５Ａ，１２５Ｂは、他方のコンタクトに含まれる弾性変形部１２５Ａ，１２５Ｂに近接する方向である近接方向へ又は当該近接方向とは逆の方向である離間方向へ突き出す突出部１２７Ａ，１２７Ｂを含む。【選択図】図６
2019129084.tif 000002
【特許請求の範囲】
【請求項１】
接続対象物に取り付けられる固定ハウジングと、
前記固定ハウジングに対して相対的に移動する可動ハウジングと、
対応付けて配置された少なくとも一対のコンタクトとを備え、
前記少なくとも一対のコンタクトの各々は、
前記固定ハウジングに固定される第１被保持部と、
前記可動ハウジングに固定される第２被保持部と、
前記第１被保持部と前記第２被保持部との間を接続する弾性変形部とを含み、
前記少なくとも一対のコンタクトの各々に含まれる前記弾性変形部は、当該少なくとも一対のコンタクトのうちの他方のコンタクトに含まれる前記弾性変形部に近接する方向である近接方向へ又は当該近接方向とは逆の方向である離間方向へ突き出す突出部を含む
ことを特徴とするコネクタ。
【請求項２】
前記少なくとも一対のコンタクトの各々が有する前記突出部は、前記近接方向へ突き出す
ことを特徴とする請求項１に記載のコネクタ。
【請求項３】
前記少なくとも一対のコンタクトが有する前記突出部の各々は、前記近接方向と交差する方向における位置が互いに異なる
ことを特徴とする請求項２に記載のコネクタ。
【請求項４】
前記少なくとも一対のコンタクトが有する前記突出部の各々は、前記近接方向と交差する一方向から見て互いに重なり合う部分を含む
ことを特徴とする請求項３に記載のコネクタ。
【請求項５】
前記少なくとも一対のコンタクトの各々が有する前記弾性変形部は、
一端が前記第１被保持部に接続されて直線状に延び、他端が前記突出部の一端に接続される第１延在部と、
一端が前記突出部の他端に接続されて、前記近接方向と交差する一方向へ延びる第２延在部と
をさらに含み、
前記突出部は、
一端が前記第１延在部の他端に接続され、前記近接方向へ曲がる第１曲げ部と、
一端が前記第１曲げ部の他端に接続されて前記近接方向へ延びる第１アーム部と、
一端が前記第１アーム部の他端に接続され、前記近接方向と交差する一方向へ曲がる第２曲げ部と、
一端が前記第２曲げ部の他端に接続されて前記近接方向と交差する一方向へ延びる連結部と、
一端が前記連結部の他端に接続され、前記離間方向へ曲がる第３曲げ部と、
一端が前記第３曲げ部の他端に接続されて前記離間方向へ延びる第２アーム部と、
一端が前記第２アーム部の他端に接続され、前記近接方向と交差する一方向へ曲がり、他端が前記第２延在部の前記一端に接続される第４曲げ部とを含む
ことを特徴とする請求項２から４のいずれか１項に記載のコネクタ。
【請求項６】
前記固定ハウジングは、前記接続対象物に取り付けられる取付面部を含み、
前記第１延在部及び前記第２延在部の各々が延びる方向は、前記取付面部と垂直な方向である
ことを特徴とする請求項５に記載のコネクタ。
【請求項７】
前記固定ハウジングは、前記接続対象物に取り付けられる取付面部を含み、
前記近接方向及び前記離間方向の各方向は、前記取付面部と平行である
ことを特徴とする請求項１から５のいずれか１項に記載のコネクタ。
【請求項８】
前記可動ハウジングは、前記取付面部と平行な方向に沿って相手方コネクタに差し込むことによって前記相手方コネクタと嵌合する嵌合部を含む
ことを特徴とする請求項６又は７に記載のコネクタ。
【発明の詳細な説明】
【技術分野】
【０００１】
本発明は、コネクタに関する。
【背景技術】
【０００２】
コネクタは、一般的に相手コネクタと嵌合し、それによって、当該コネクタと相手コネクタとの各々に取り付けられた接続対象物を電気的に接続する電気部品である。このようなコネクタの中に、相手コネクタとの嵌合時に相手コネクタの嵌合部分の位置に応じてコンタクトの嵌合部分の位置をずらすことが可能な、いわゆるフローティングコネクタがある。
【０００３】
例えば引用文献１に記載のレセプタクルコネクタ１は、図９に示すように、固定ハウジング１０と、固定ハウジング１０の上側に配置された可動ハウジング２０と、左右に並んで設けられる複数のレセプタクルコンタクト３０とを有する。
【０００４】
固定ハウジング１０は、所定の配線パターンが形成された基板２に固定される。可動ハウジング２０は、複数のレセプタクルコンタクト３０の先端側に取り付けられ、プラグコネクタ５０と嵌合するレセプタクル側嵌合部２３を有する。
【０００５】
レセプタクルコンタクト３０は、形状の異なる２種類の上側コンタクト３０ａと下側コンタクト３０ｂとから構成される。
【０００６】
上側コンタクト３０ａは、基板２の配線パターンに半田接続される先端接合部３１と、固定ハウジング１０に圧入される固定側圧入部３２と、可動ハウジング２０に圧入される圧入接触部３７と、固定側圧入部３２及び圧入接触部３７を繋ぐ上側中間部３８とから構成される。
【０００７】
そして、上側中間部３８は、第１折り曲げ部３３ａと第２折り曲げ部３４ａと第３折り曲げ部３５ａとで折り曲げられている。これにより、上側中間部３８には、第１中間部３３と第２中間部３４と第３中間部３５と第４中間部３６とが形成されている。
【０００８】
下側コンタクト３０ｂは、基板２の配線パターンに半田接続される先端接合部４１と、固定ハウジング１０に圧入される固定側圧入部４２と、可動ハウジング２０に圧入される圧入接触部４７と、固定側圧入部４２及び圧入接触部４７を繋ぐ下側中間部４８とから構成される。
【０００９】
下側中間部４８は、第１折り曲げ部４３ａと第２折り曲げ部４４ａと第３折り曲げ部４５ａとで折り曲げられている。これにより、下側中間部４８には、第１中間部４３と第２中間部４４と第３中間部４５と第４中間部４６とが形成されている。
【００１０】
プラグコネクタ５０は、可動ハウジング２０のレセプタクル側嵌合部２３内に挿入されて嵌合されるプラグ側嵌合部５１を備える。
【００１１】
両コネクタ１，５０を嵌合させる際、レセプタクル側嵌合部２３に対してプラグ側嵌合部５１が、上下方向もしくは左右方向にずれている場合がある。このような場合、レセプタクルコネクタ１の上側中間部３８及び下側中間部４８が弾性変形することにより、プラグ側嵌合部５１との位置ずれを吸収し、その状態で両コネクタ１，５０を嵌合させる。
【００１２】
すなわち、特許文献１に記載のレセプタクルコネクタ１は、プラグコネクタ５０との嵌合時にプラグ側嵌合部５１の位置に応じて、レセプタクル側嵌合部２３に取り付けられた複数のレセプタクルコンタクト３０の先端側の位置をずらすことが可能なフローティングコネクタである。
【先行技術文献】
【特許文献】
【００１３】
【特許文献１】特許第６１９２５６７号公報
【発明の概要】
【発明が解決しようとする課題】
【００１４】
一般的なフローティングコネクタでは、フローティング量は大きい方が望ましい。そのため、設計上許容される全体的なサイズの範囲内で、より大きなフローティング量を有するフローティングコネクタが望まれている。ここで、フローティング量とは、コンタクトの嵌合部分の位置をずらすことができる量を意味する。
【００１５】
しかし、一般的なフローティングコネクタでは、特許文献１に記載のレセプタクルコネクタ１のように、コンタクトの弾性変形を利用して、コンタクトの嵌合部分の位置のずれを可能にする。そのため、フローティング量は、コンタクトが塑性変形しない範囲、言い換えると、コンタクトが弾性変形できる範囲に制限される。
【００１６】
特許文献１に記載のレセプタクルコネクタ１では、上述の通り、上側中間部３８及び下側中間部４８の弾性変形が、複数のレセプタクルコンタクト３０の先端側の位置ずれを可能としている。上側中間部３８及び下側中間部４８のうち、特に固定ハウジング１０及び可動ハウジング２０から離間した部分が自由に移動できるので、そのような部分がレセプタクル側嵌合部２３の位置ずれに大きく寄与すると考えられる。すなわち、第３中間部３５及び４５と第２折り曲げ部３４ａ及び４４ａの近傍と第３折り曲げ部３５ａ及び４５ａの近傍との弾性変形が、複数のコンタクト部材３０の先端側の位置ずれに大きく寄与していると考えられる。
【００１７】
そのため、特許文献１に記載のレセプタクルコネクタ１で、フローティング量を大きくする場合、第３中間部３５及び４５を前後方向に長くすることが有効と考えられる。しかしこれでは、第３中間部３５及び４５が前後方向に長くなることに伴って、レセプタクルコネクタ１の前後方向の長さが大きくなってしまう。その結果、レセプタクルコネクタ１の全体的なサイズが、設計上の要求を満たせなくなる可能性がある。
【００１８】
本発明は、このような事情に鑑みてなされたものであって、全体的なサイズが大きくなることを抑えつつフローティング量を大きくすることが可能なコネクタの提供を目的とする。
【課題を解決するための手段】
【００１９】
上記目的を達成するため、本発明に係るコネクタは、
接続対象物に取り付けられる固定ハウジングと、
前記固定ハウジングに対して相対的に移動する可動ハウジングと、
対応付けて配置された少なくとも一対のコンタクトとを備え、
前記少なくとも一対のコンタクトの各々は、
前記固定ハウジングに固定される第１被保持部と、
前記可動ハウジングに固定される第２被保持部と、
前記第１被保持部と前記第２被保持部との間を接続する弾性変形部とを含み、
前記少なくとも一対のコンタクトの各々に含まれる前記弾性変形部は、当該少なくとも一対のコンタクトのうちの他方のコンタクトに含まれる前記弾性変形部に近接する方向である近接方向へ又は当該近接方向とは逆の方向である離間方向へ突き出す突出部を含む。
【００２０】
前記少なくとも一対のコンタクトの各々が有する前記突出部は、前記近接方向へ突き出してもよい。
【００２１】
前記少なくとも一対のコンタクトが有する前記突出部の各々は、前記近接方向と交差する方向における位置が互いに異なっていてもよい。
【００２２】
前記少なくとも一対のコンタクトが有する前記突出部の各々は、前記近接方向と交差する一方向から見て互いに重なり合う部分を含んでもよい。
【００２３】
前記少なくとも一対のコンタクトの各々が有する前記弾性変形部は、
一端が前記第１被保持部に接続されて直線状に延び、他端が前記突出部の一端に接続される第１延在部と、
一端が前記突出部の他端に接続されて、前記近接方向と交差する一方向へ延びる第２延在部と
をさらに含み、
前記突出部は、
一端が前記第１延在部の他端に接続され、前記近接方向へ曲がる第１曲げ部と、
一端が前記第１曲げ部の他端に接続されて前記近接方向へ延びる第１アーム部と、
一端が前記第１アーム部の他端に接続され、前記近接方向と交差する一方向へ曲がる第２曲げ部と、
一端が前記第２曲げ部の他端に接続されて前記近接方向と交差する一方向へ延びる連結部と、
一端が前記連結部の他端に接続され、前記離間方向へ曲がる第３曲げ部と、
一端が前記第３曲げ部の他端に接続されて前記離間方向へ延びる第２アーム部と、
一端が前記第２アーム部の他端に接続され、前記近接方向と交差する一方向へ曲がり、他端が前記第２延在部の前記一端に接続される第４曲げ部とを含んでもよい。
【００２４】
前記固定ハウジングは、前記接続対象物に取り付けられる取付面部を含み、
前記第１延在部及び前記第２延在部の各々が延びる方向は、前記取付面部と垂直な方向であってもよい。
【００２５】
前記固定ハウジングは、前記接続対象物に取り付けられる取付面部を含み、
前記近接方向及び前記離間方向の各方向は、前記取付面部と平行であってもよい。
【００２６】
前記可動ハウジングは、前記取付面部と平行な方向に沿って相手方コネクタに差し込むことによって前記相手方コネクタと嵌合する嵌合部を含んでもよい。
【発明の効果】
【００２７】
本発明によれば、全体的なサイズが大きくなることを抑えつつフローティング量を大きくすることが可能になる。
【図面の簡単な説明】
【００２８】
【図１】本発明の一実施の形態に係るコネクタを前方斜め上から見た斜視図である。
【図２】本実施の形態に係るコネクタを後方斜め上から見た斜視図である。
【図３】本実施の形態に係るコネクタの正面図である。
【図４】本実施の形態に係るコネクタの分解斜視図である。
【図５】図３のＶ−Ｖ線における側方断面図である。
【図６】本実施の形態に係るコネクタに備えられるコンタクトの対を拡大して示す側面図である。
【図７】第１コンタクト及び第２コンタクトの一方又は両方の弾性変形部が離間方向に突き出す突出部を備える例を示す図である。
【図８】突出部の形状の変形例を示す図である。
【図９】関連技術に係るコネクタの構成を示す図である。
【発明を実施するための形態】
【００２９】
以下、本発明の一実施の形態に係るコネクタついて、図面を参照しつつ説明する。全図を通じて同一の要素には同一の符号を付す。また、本発明の実施の形態の説明及び図面では、上・下・前・後・右・左の用語を用いるが、これらは、方向を説明するために用いるのであって、本発明を限定する趣旨ではない。
【００３０】
本発明の一実施の形態に係るコネクタ１００は、前方斜め上から見た斜視図である図１、後方斜め上から見た斜視図である図２、正面図である図３に示すように、基板１０１に取り付けられる。
【００３１】
コネクタ１００は、図示しない相手側コネクタを後方へ向けて差し込むことによって嵌り合う。これによって、基板１０１に設けられた配線は、相手側コネクタが取り付けられたケーブル、基板上の配線などと電気的に相互に接続される。また、コネクタ１００は、相手側コネクタを前方へ向けて引き抜くことによって、相手側コネクタとの嵌り合いが解かれる。
【００３２】
コネクタ１００は、図１〜３に示すように、固定ハウジング１０２と、可動ハウジング１０３と、左右の固定具１０４と、複数対の第１コンタクト１０５Ａ及び第２コンタクト１０５Ｂとを備える。
【００３３】
固定ハウジング１０２は、複数対の第１コンタクト１０５Ａ及び第２コンタクト１０５Ｂを保持する部材であって、基板１０１に取り付けられる。固定ハウジング１０２は、例えば樹脂により一体的に形成されている。なお、基板１０１は、固定ハウジング１０２が取り付けられる接続対象物の一例であって、固定ハウジング１０２は、基板１０１以外の接続対象物に取り付けられてもよい。
【００３４】
詳細には、固定ハウジング１０２は、コネクタ１００の分解斜視図である図４に示すように、概ね、左右に設けられた被固定部１０６と、左右に設けられた前方延在部１０７と、左右に設けられた後方延在部１０８と、前後に設けられた板状部１０９Ａ，１０９Ｂとを備える。なお、前後の板状部１０９Ａ，１０９Ｂは、内部において適宜の補強部により接続されている。
【００３５】
被固定部１０６の各々は、概ね、上下に延びる直方体状の部位である。被固定部１０６の各々には、上下方向に貫通する貫通孔１１０が設けられている。
【００３６】
左右の前方延在部１０７は、それぞれ、左右の被固定部１０６に接続した概ね直方体の部位である。
【００３７】
左方の前方延在部１０７は、左方の被固定部１０６から右方へ延びている。左方の前方延在部１０７の前面は、左方の被固定部１０６の前面と面一に設けられている。また、右方の前方延在部１０７は、右方の被固定部１０６から左方へ延びている。右方の前方延在部１０７の前面は、右方の被固定部１０６の前面と面一に設けられている。
【００３８】
前方延在部１０７の各々の高さ（本実施の形態では上下方向の長さ）は、被固定部１０６の各々の高さよりも低く、本実施の形態では半分程度である。
【００３９】
左右の後方延在部１０８は、それぞれ、左右の被固定部１０６に接続した概ね直方体の部位である。
【００４０】
左方の後方延在部１０８は、左方の被固定部１０６から右方へ延びている。左方の後方延在部１０８の後面は、左方の被固定部１０６の後面と面一に設けられている。右方の後方延在部１０８は、右方の被固定部１０６から左方へ延びている。右方の後方延在部１０８の後面は、右方の被固定部１０６の後面と面一に設けられている。
【００４１】
後方延在部１０８の各々の高さは、被固定部１０６の各々の高さと同程度である。
【００４２】
ここで、左方の前方延在部１０７と左方の後方延在部１０８とは、前後方向に予め定められた間隔を空けて、左方の被固定部１０６から右方へ概ね同じ長さ延びている。同様に、右方の前方延在部１０７と右方の後方延在部１０８とは、前後方向に予め定められた間隔を空けて、右方の被固定部１０６から左方へ概ね同じ長さ延びている。
【００４３】
このような構成によって、左方の前方延在部１０７と左方の後方延在部１０８との間に、上下に延びる隙間が形成される。右方の前方延在部１０７と右方の後方延在部１０８との間にも、上下に延びる隙間が形成される。左方の前方延在部１０７と左方の後方延在部１０８との間の隙間と、右方の前方延在部１０７と右方の後方延在部１０８との間の隙間とは、前後方向に概ね同じ位置に形成される。これにより、左方の前方延在部１０７及び後方延在部１０８と右方の前方延在部１０７及び後方延在部１０８とは、詳細後述するように、可動ハウジング１０３の移動を制限するガイドとして機能する。
【００４４】
また、被固定部１０６の各々と前方延在部１０７の各々と後方延在部１０８の各々との下面は、面一に形成されている。本実施の形態では、これらの各部１０６，１０７，１０８の下面を形成する部位が、基板１０１に取り付けられる取付面部１１１となる。本実施の形態に係る固定ハウジング１０２に含まれる取付面部１１１は、前後方向及び左右方向に平行な平面を形成する。
【００４５】
前後の板状部１０９Ａ，１０９Ｂは、それぞれ、左右の前方延在部１０７の間、左右の後方延在部１０８の間を接続する部位であり、第１保持部として複数対の第１コンタクト１０５Ａ及び第２コンタクト１０５Ｂを保持する。すなわち、前方の板状部１０９Ａは、左右の前方延在部１０７の間を接続し、複数の第１コンタクト１０５Ａを保持する。また、後方の板状部１０９Ｂは、左右の後方延在部１０８の間を接続し、複数の第２コンタクト１０５Ｂを保持する。
【００４６】
より詳細には、前方の板状部１０９Ａの前面には、上下に延びた複数の第１溝部１１２Ａが左右に並べて設けられている。前方の板状部１０９Ａの第１溝部１１２Ａの各々は、上方及び下方へ開放するように形成されている。前方の板状部１０９Ａの第１溝部１１２Ａは、各々が力を加えた状態で第１コンタクト１０５Ａを挟むことによって、前方の第１保持部として複数の第１コンタクト１０５Ａを保持する。
【００４７】
後方の板状部１０９Ｂの後面には、前方の板状部１０９Ａの前面と同様に、上下に延びて上方及び下方へ開放した複数の第１溝部１１２Ｂが左右に並べて設けられている。後方の板状部１０９Ｂの第１溝部１１２Ｂは、各々が力を加えた状態で第２コンタクト１０５Ｂを挟むことによって、後方の第１保持部として複数の第２コンタクト１０５Ｂを保持する。後方の板状部１０９Ｂの第１溝部１１２Ｂのそれぞれは、前方の板状部１０９Ａの第１溝部１１２Ａと左右方向に同じ位置に対応付けて設けられている。
【００４８】
可動ハウジング１０３は、固定ハウジング１０２に対して相対的に移動する部材であって、複数対の第１コンタクト１０５Ａ及び第２コンタクト１０５Ｂを保持する。可動ハウジング１０３は、例えば樹脂で一体的に形成されている。本実施の形態では、可動ハウジング１０３は、上下方向及び左右方向の位置を、固定ハウジング１０２に対して予め定められた範囲内で移動することができる。なお、可動ハウジング１０３は、前後方向にも、固定ハウジング１０２に対して僅かに移動できるように構成されてもよい。
【００４９】
より詳細には、可動ハウジング１０３は、前後に延びる筒状部１１３と、筒状部１１３の下面の左後部と右後部とのそれぞれから下方へ延びる概ね直方体の左右の被ガイド部１１４とを含む。
【００５０】
筒状部１１３は、前後に延びる概ね直方体の部位であり、左右の後方上部が切り欠かれた形状をなす。筒状部１１３は、前方から予め定められた嵌合長さまで中空であり、嵌合長さよりも後方は概ね中実になっている。筒状部１１３は、図３及び側方断面図である図５に示すように、嵌合部１１５と、上下に対向して設けられた第２溝部１１６Ａ，１１６Ｂ及び孔部１１７Ａ，１１７Ｂとを含む。
【００５１】
嵌合部１１５は、相手側コネクタと嵌り合う部位である。本実施の形態では嵌合部１１５は、筒状部１１３のうち、前端から後方へ延びる中空が形成された部分である。筒状部１１３の中空は、前方から見て概ね矩形をなす。また、筒状部１１３の中空は、前後方向には前端から予め定められた嵌合長さの範囲で形成されている。
【００５２】
上下の第２溝部１１６Ａ，１１６Ｂ及び孔部１１７Ａ，１１７Ｂは、第２保持部として複数対の第１コンタクト１０５Ａ及び第２コンタクト１０５Ｂを保持する部位である。
【００５３】
より詳細には、筒状部１１３の中空を形成する内面のうちの上面には、前後に延びた複数の第２溝部１１６Ｂが左右に並べて設けられている。この上方の第２溝部１１６Ｂの各々は、前方へ開放するように形成されている。また、筒状部１１３の中実の部分には、上方の第２溝部１１６Ｂの各々と連通して後方へ延びることによって前後に貫通する上方の孔部１１７Ｂが設けられている。上方の第２溝部１１６Ｂの各々は、力を加えた状態で第２コンタクト１０５Ｂを挟んでいる。そして、上方の孔部１１７Ｂは、第２コンタクト１０５Ｂの周囲を囲んで保持する。これによって、相互に連通して設けられた複数対の上方の第２溝部１１６Ｂ及び孔部１１７Ｂは、上方の第２保持部として複数の第２コンタクト１０５Ｂを保持する。
【００５４】
なお、筒状部１１３の後面で、複数の第２コンタクト１０５Ｂが配置される部分には、複数の第２コンタクト１０５Ｂの各々が左右方向に移動して相互に接触することを防ぐために、後方へ突き出す複数の突起が適宜設けられる。
【００５５】
筒状部１１３の中空を形成する内面のうちの下面には、その上面と同様に、前後に延びた複数の第２溝部１１６Ａが左右に並べて設けられている。この下方の第２溝部１１６Ａの各々は、前方へ開放するように形成されている。また、筒状部１１３の中実の部分には、下方の第２溝部１１６Ａの各々と連通して後方へ延びることによって前後に貫通する下方の孔部１１７Ａが設けられている。下方の第２溝部１１６Ａの各々は、力を加えた状態で第１コンタクト１０５Ａを挟んでいる。そして、下方の孔部１１７Ａは、第１コンタクト１０５Ａの周囲を囲んで保持する。これによって、相互に連通して設けられた複数対の下方の第２溝部１１６Ａ及び孔部１１７Ａは、下方の第２保持部として複数の第１コンタクト１０５Ａを保持する。
【００５６】
複数対の上方の第２溝部１１６Ｂ及び孔部１１７Ｂのそれぞれは、複数対の下方の第２溝部１１６Ａ及び孔部１１７Ａと左右方向に同じ位置に対応付けて設けられている。また、複数対の上方の第２溝部１１６Ｂ及び孔部１１７Ｂのそれぞれは、後方の板状部１０９Ｂに設けられた複数の第１溝部１１２Ｂとも、左右方向に同じ位置に対応付けて設けられている。上述の通り、後方の板状部１０９Ｂの第１溝部１１２Ｂのそれぞれは、前方の板状部１０９Ａの第１溝部１１２Ａと左右方向に同じ位置に対応付けて設けられている。従って、複数対の下方の第２溝部１１６Ａ及び孔部１１７Ａのそれぞれは、前方の板状部１０９Ａに設けられた複数の第１溝部１１２Ａと、左右方向に同じ位置に対応付けて設けられている。
【００５７】
また、上下の第２溝部１１６Ａ，１１６Ｂは、前後方向に同じ長さで同じ位置に設けられている。上下の孔部１１７Ａ，１１７Ｂの前端が、前後方向に同じ位置に設けられた上下の第２溝部１１６Ａ，１１６Ｂのそれぞれの後端に連通することは上述の通りである。そして、上下の孔部１１７Ａ，１１７Ｂが前後に延びる長さは異なっており、上方の孔部１１７Ｂは、下方の孔部１１７Ａよりも長い。そのため、上方の孔部１１７Ｂの後端は、下方の孔部１１７Ａの後端よりも後方に位置する。
【００５８】
左方の被ガイド部１１４は、左面が筒状部１１３の左外面と面一に設けられている。右方の被ガイド部１１４は、右面が筒状部１１３の右外面と面一に設けられている。
【００５９】
そして、左右の被ガイド部１１４は、左方の前方延在部１０７及び後方延在部１０８の間と右方の前方延在部１０７及び後方延在部１０８の間とのそれぞれの間に嵌められる。これにより、左右の被ガイド部１１４の前後方向の移動は、左右の前方延在部１０７及び左右の後方延在部１０８によって制限される。
【００６０】
固定具１０４の各々は、コネクタ１００を基板１０１に固定するための器具であって、典型的には金属製である。固定具１０４の各々は、前方から見てＬ字状をなしており、挿設部１１８と、ツバ部１１９と、基板固定部１２０とを含む。
【００６１】
挿設部１１８は、固定ハウジング１０２に含まれる被固定部１０６の貫通孔１１０の中に挿入された状態で配置される部位である。挿設部１１８は、被固定部１０６の中で力を加えた状態で保持されて固定ハウジング１０２に対する位置が固定される。
【００６２】
ツバ部１１９は、挿設部１１８の上端から可動ハウジング１０３の上方へ延びる部位である。詳細には、左方の固定具１０４のツバ部１１９は、挿設部１１８の上端から右方へ延び、少なくとも一部が可動ハウジング１０３の筒状部１１３の切り欠かれた部分の上方に位置付けられる。右方の固定具１０４のツバ部１１９は、挿設部１１８の上端から左方へ延び、少なくとも一部が可動ハウジング１０３の筒状部１１３の切り欠かれた部分の上方に位置付けられる。このようなツバ部１１９によって、固定ハウジング１０２に対する可動ハウジング１０３の上方への移動が制限される。
【００６３】
基板固定部１２０は、基板１０１に固定される部位である。本実施の形態では基板固定部１２０は、挿設部１１８の下端から下方へ延びている。基板固定部１２０は、例えば、基板１０１に予め設けられた基板孔１２１に一方の面から挿入された後、半田付けされて固定される。これにより、基板固定部１２０が基板１０１と係わり合って、固定具１０４が基板１０１から離れないように止められる。その結果、固定具１０４によって、コネクタ１００を基板１０１に固定することができる。
【００６４】
なお、固定具１０４は、樹脂など、金属以外の材料で作られてもよい。基板固定部１２０を基板１０１に固定する方法は、上述の半田付けに限られず、接着剤による接着など適宜の方法が採用されてよい。
【００６５】
複数対の第１コンタクト１０５Ａ及び第２コンタクト１０５Ｂの各々は、導電性の細長い部材であって、例えば金属板から打ち抜かれた針金状の細い金属棒を適宜屈曲又は湾曲させることで作られる。
【００６６】
対をなす第１コンタクト１０５Ａと第２コンタクト１０５Ｂとは、上述の通り、第１溝部１１２Ａ，１１２Ｂ、第２溝部１１６Ａ，１１６Ｂ及び孔部１１７Ａ，１１７Ｂによって保持されて、上下方向及び前後方向に平行な共通の面内において相互に離間して配置される。このように、本実施の形態では、対をなす第１コンタクト１０５Ａと第２コンタクト１０５Ｂとは、共通の面内に配置されることによって対応付けられている。そして、第１コンタクト１０５Ａと第２コンタクト１０５Ｂの対は、ピッチ方向に複数並べられている。ピッチ方向は、本実施の形態では左右方向である。
【００６７】
なお、コネクタ１００には、少なくとも一対の第１コンタクト１０５Ａ及び第２コンタクト１０５Ｂが備えられればよい。また、対をなす第１コンタクト１０５Ａと第２コンタクト１０５Ｂとは、上下方向及び前後方向に平行な共通の面内に限られず、互いに予め定められた位置関係で、対応付けられていればよい。
【００６８】
第１コンタクト１０５Ａは、図５及び図６に示すように、基板接続部１２２Ａと、第１被保持部１２３Ａと、第２被保持部１２４Ａと、弾性変形部１２５Ａとを含む。また、第２コンタクト１０５Ｂは、基板接続部１２２Ｂと、第１被保持部１２３Ｂと、第２被保持部１２４Ｂと、弾性変形部１２５Ｂとを含む。
【００６９】
ここで、図６は、本実施の形態に係るコネクタ１００に含まれる一対の第１コンタクト１０５Ａと第２コンタクト１０５Ｂの側面図である。図６に含まれる二点鎖線は、各部の境界を示す仮想的な線である。
【００７０】
上述のように、対をなす第１コンタクト１０５Ａと第２コンタクト１０５Ｂとは、対応する部位１２２Ａ及び１２２Ｂ，１２３Ａ及び１２３Ｂ，１２４Ａ及び１２４Ｂ，１２５Ａ及び１２５Ｂを含む。ただし、図５及び図６を参照すると分かるように、対をなす第１コンタクト１０５Ａと第２コンタクト１０５Ｂとの各々の形状は異なっている。
【００７１】
基板接続部１２２Ａ，１２２Ｂの各々は、半田付けなどの適宜の方法で基板１０１に接続される部位である。本実施の形態に係る基板接続部１２２Ａ，１２２Ｂの各々は、取付面部１１１と平行に延在する部分と、当該部分の一端から上方へ向けて曲がった部分とを含む。
【００７２】
詳細には、第１コンタクト１０５Ａの基板接続部１２２Ａは、前後方向に延在する部分と、当該部分の後端から上方へ向けて曲がった部分とを含む。第２コンタクト１０５Ｂの基板接続部１２２Ｂは、前後方向に延在する部分と、当該部分の前端から上方へ向けて曲がった部分とを含む。
【００７３】
第１被保持部１２３Ａ，１２３Ｂの各々は、固定ハウジング１０２に固定される部位である。
【００７４】
本実施の形態に係る第１被保持部１２３Ａ，１２３Ｂは、それぞれ、基板接続部１２２Ａ，１２２Ｂの上端に接続して上方へ直線状に延びる。
【００７５】
第１コンタクト１０５Ａの第１被保持部１２３Ａは、前方の板状部１０９Ａの第１溝部１１２Ａに保持されることによって、固定ハウジング１０２に固定される。また、第２コンタクト１０５Ｂの第１被保持部１２３Ｂは、後方の板状部１０９Ｂの第１溝部１１２Ｂに保持されることによって、固定ハウジング１０２に固定される。従って、第１被保持部１２３Ａと第１被保持部１２３Ｂとは、左右方向に同じ位置で、それぞれが前後に対応付けて配置される。
【００７６】
また、本実施の形態に係る第１被保持部１２３Ａと第１被保持部１２３Ｂとは、上下方向には、概ね同じ長さで同じ位置に配置される。
【００７７】
第２被保持部１２４Ａ，１２４Ｂは、可動ハウジング１０３に固定される部位である。本実施の形態に係る第２被保持部１２４Ａ，１２４Ｂの各々は、前後方向に直線状に延在する。
【００７８】
第１コンタクト１０５Ａの第２被保持部１２４Ａは、相互に連通した下方の第２溝部１１６Ａ及び孔部１１７Ａに保持されることによって、可動ハウジング１０３に固定される。第２コンタクト１０５Ｂの第２被保持部１２４Ｂは、相互に連通した上方の第２溝部１１６Ｂ及び孔部１１７Ｂに保持されることによって、可動ハウジング１０３に固定される。従って、第２被保持部１２４Ｂと第２被保持部１２４Ａとは、左右方向に同じ位置で、それぞれが上下に対応付けて配置される。
【００７９】
さらに、本実施の形態に係る第２被保持部１２４Ａと第２被保持部１２４Ｂとでは、各々の前端は前後方向に概ね同じ位置に設けられており、前後方向に延びる長さは異なっている。第２被保持部１２４Ｂの方が、第２被保持部１２４Ａよりも前後方向の長さが長い。従って、第２被保持部１２４Ｂの後端は、第２被保持部１２４Ａの後端よりも後方に位置している。
【００８０】
第１コンタクト１０５Ａの弾性変形部１２５Ａは、図５及び図６に示すように、第１被保持部１２３Ａと第２被保持部１２４Ａとの間を接続する部位である。弾性変形部１２５Ａは、第１延在部１２６Ａと、突出部１２７Ａと、第２延在部１２８Ａと、屈曲部１２９Ａとを含む。
【００８１】
また、第２コンタクト１０５Ｂの弾性変形部１２５Ｂは、第１被保持部１２３Ｂと第２被保持部１２４Ｂとの間を接続する部位である。弾性変形部１２５Ｂは、第１延在部１２６Ｂと、突出部１２７Ｂと、第２延在部１２８Ｂと、屈曲部１２９Ｂとを含む。
【００８２】
このように、弾性変形部１２５Ａと弾性変形部１２５Ｂとは、対応する部位１２６Ａ及び１２６Ｂ，１２７Ａ及び１２７Ｂ，１２８Ａ及び１２８Ｂ，１２９Ａ及び１２９Ｂを含む。ただし、図５及び図６を参照すると分かるように、弾性変形部１２５Ａと弾性変形部１２５Ｂとの各々の形状は異なっている。
【００８３】
第１延在部１２６Ａ，１２６Ｂは、それぞれ、一端が第１被保持部１２３Ａ，１２３Ｂに接続されて直線状に延び、他端が突出部１２７Ａ，１２７Ｂの一端に接続される部位である。第１延在部１２６Ａ，１２６Ｂが延びる方向は、取付面部１１１と垂直な方向であって、本実施の形態では上方向である。
【００８４】
詳細には、第１コンタクト１０５Ａの第１延在部１２６Ａは、下端が第１被保持部１２３Ａの上端に接続されて上方へ直線状に延び、上端が突出部１２７Ａの下端に接続される。第２コンタクト１０５Ｂの第１延在部１２６Ｂは、下端が第１被保持部１２３Ｂの上端に接続されて上方へ直線状に延び、上端が突出部１２７Ｂの下端に接続される。
【００８５】
第１延在部１２６Ａと第１延在部１２６Ｂとでは、直線状に延びる長さが異なっている。本実施の形態では、第１延在部１２６Ｂが、第１延在部１２６Ａよりも長い。第１延在部１２６Ｂの上端は、突出部１２７Ｂの上端よりも上方に位置付けられている。
【００８６】
突出部１２７Ａ，１２７Ｂは、それぞれ、第１延在部１２６Ａ，１２６Ｂと第２延在部１２８Ａ，１２８Ｂとの間に設けられる部位である。突出部１２７Ａ，１２７Ｂの各々は、矩形状をなして近接方向に突き出ている。
【００８７】
ここで、近接方向とは、対をなす第１コンタクト１０５Ａと第２コンタクト１０５Ｂの各々から、他方のコンタクト１０５Ａ又は１０５Ｂに含まれる弾性変形部１２５Ａ又は１２５Ｂに近接する方向である。また、近接方向とは逆の方向を離間方向と称する。
【００８８】
すなわち、第１コンタクト１０５Ａに含まれる突出部１２７Ａは、他方のコンタクトである第２コンタクト１０５Ｂに含まれる弾性変形部１２５Ｂに近接する方向へ突き出す。また、第２コンタクト１０５Ｂに含まれる突出部１２７Ｂは、他方のコンタクトである第１コンタクト１０５Ａに含まれる弾性変形部１２５Ａに近接する方向へ突き出す。
【００８９】
従って、本実施の形態での近接方向は、第１コンタクト１０５Ａの突出部１２７Ａについては後方であり、第２コンタクト１０５Ｂの突出部１２７Ｂについては前方である。このように、本実施の形態での近接方向は、取付面部１１１と平行である。
【００９０】
突出部１２７Ａと突出部１２７Ｂとの各々が近接方向に突き出す大きさは、適宜変更されてもよいが、本実施の形態では、上方から見て互いに重なり合う部分を含む。
【００９１】
詳細には、第１コンタクト１０５Ａの突出部１２７Ａは、第１曲げ部１３０Ａと、第１アーム部１３１Ａと、第２曲げ部１３２Ａと、連結部１３３Ａと、第３曲げ部１３４Ａと、第２アーム部１３５Ａと、第４曲げ部１３６Ａとを含む。また、第２コンタクト１０５Ｂの突出部１２７Ｂは、第１曲げ部１３０Ｂと、第１アーム部１３１Ｂと、第２曲げ部１３２Ｂと、連結部１３３Ｂと、第３曲げ部１３４Ｂと、第２アーム部１３５Ｂと、第４曲げ部１３６Ｂとを含む。
【００９２】
このように、突出部１２７Ａと突出部１２７Ｂとは、対応する部位１３０Ａ及び１３０Ｂ，１３１Ａ及び１３１Ｂ，１３２Ａ及び１３２Ｂ，１３３Ａ及び１３３Ｂ，１３４Ａ及び１３４Ｂ，１３５Ａ及び１３５Ｂ，１３６Ａ及び１３６Ｂを含む。
【００９３】
第１曲げ部１３０Ａ，１３０Ｂは、それぞれ、一端が第１延在部１２６Ａ，１２６Ｂの他端に接続され、近接方向へ曲がる部位である。
【００９４】
より詳細には、第１コンタクト１０５Ａの第１曲げ部１３０Ａは、下端が第１延在部１２６Ａの上端に接続され、後方へ曲がっている。第２コンタクト１０５Ｂの第１曲げ部１３０Ｂは、下端が第１延在部１２６Ｂの上端に接続され、前方へ曲がっている。
【００９５】
第１アーム部１３１Ａ，１３１Ｂは、それぞれ、一端が第１曲げ部１３０Ａ，１３０Ｂの他端に接続されて近接方向へ延びる部位である。
【００９６】
より詳細には、第１コンタクト１０５Ａの第１アーム部１３１Ａは、前端が第１曲げ部１３０Ａの後端に接続されて後方へ直線状に延びる。第２コンタクト１０５Ｂの第１アーム部１３１Ｂは、後端が第１曲げ部１３０Ｂの前端に接続されて前方へ直線状に延びる。
【００９７】
第２曲げ部１３２Ａ，１３２Ｂは、それぞれ、一端が第１アーム部１３１Ａ，１３１Ｂの他端に接続され、近接方向と交差する一方向へ曲がる部位である。
【００９８】
より詳細には、第１コンタクト１０５Ａの第２曲げ部１３２Ａは、前端が第１アーム部１３１Ａの後端に接続され、上方へ曲がっている。第２コンタクト１０５Ｂの第２曲げ部１３２Ｂは、後端が第１アーム部１３１Ｂの前端に接続され、上方へ曲がっている。なお、本実施の形態での上方は、近接方向と交差する一方向の一例である。
【００９９】
連結部１３３Ａ，１３３Ｂは、それぞれ、一端が第２曲げ部１３２Ａ，１３２Ｂの他端に接続されて近接方向と交差する一方向へ延びる部位である。
【０１００】
より詳細には、第１コンタクト１０５Ａの連結部１３３Ａは、下端が第２曲げ部１３２Ａの上端に接続されて上方へ延びている。第２コンタクト１０５Ｂの連結部１３３Ｂは、下端が第２曲げ部１３２Ｂの上端に接続されて上方へ延びている。
【０１０１】
第３曲げ部１３４Ａ，１３４Ｂは、それぞれ、一端が連結部１３３Ａ，１３３Ｂの他端に接続され、離間方向へ曲がる部位である。
【０１０２】
より詳細には、第１コンタクト１０５Ａの第３曲げ部１３４Ａは、下端が連結部１３３Ａの上端に接続され、前方へ曲がっている。第２コンタクト１０５Ｂの第３曲げ部１３４Ｂは、下端が連結部１３３Ｂの上端に接続され、後方へ曲がっている。
【０１０３】
第２アーム部１３５Ａ，１３５Ｂは、それぞれ、一端が第３曲げ部１３４Ａ，１３４Ｂの他端に接続されて離間方向へ延びる部位である。
【０１０４】
より詳細には、第１コンタクト１０５Ａの第２アーム部１３５Ａは、後端が第３曲げ部１３４Ａ，１３４Ｂの前端に接続されて前方へ延びている。第２コンタクト１０５Ｂの第２アーム部１３５Ｂは、前端が第３曲げ部１３４Ａの後端に接続されて後方へ延びている。
【０１０５】
第４曲げ部１３６Ａ，１３６Ｂは、それぞれ、一端が第２アーム部１３５Ａ，１３５Ｂの他端に接続され、近接方向と交差する一方向へ曲がり、他端が第２延在部１２８Ａ，１２８Ｂの一端に接続される部位である。
【０１０６】
より詳細には、第１コンタクト１０５Ａの第４曲げ部１３６Ａは、後端が第２アーム部１３５Ａの前端に接続され、上方へ曲がり、上端が第２延在部１２８Ａの下端に接続されている。第２コンタクト１０５Ｂの第４曲げ部１３６Ｂは、前端が第２アーム部１３５Ｂの後端に接続され、上方へ曲がり、上端が第２延在部１２８Ｂの下端に接続されている。
【０１０７】
第２延在部１２８Ａ，１２８Ｂは、それぞれ、一端が突出部１２７Ａ，１２７Ｂの他端に接続されて、近接方向と交差する一方向へ延びる部位である。
【０１０８】
詳細には、第１コンタクト１０５Ａの第２延在部１２８Ａは、下端が突出部１２７Ａに接続されて、近接方向と交差する一方向へ直線状に延びる。第２コンタクト１０５Ｂの第２延在部１２８Ｂは、下端が突出部１２７Ｂに接続されて、近接方向と交差する一方向へ直線状に延びる。本実施の形態に係る第２延在部１２８Ａ，１２８Ｂの各々は、取付面部１１１と垂直な上方へ直線状に延びている。
【０１０９】
第２延在部１２８Ａと第２延在部１２８Ｂとでは、それぞれの下端の上下方向における位置が異なっている。本実施の形態では、第２延在部１２８Ａの下端が、突出部１２７Ｂの下端よりも下方に位置付けられている。
【０１１０】
上述の通り、第１延在部１２６Ｂの上端は、突出部１２７Ａの上端よりも上方に位置付けられ、かつ、第２延在部１２８Ａの下端が、突出部１２７Ｂの下端よりも下方に位置付けられる。これにより、突出部１２７Ａと突出部１２７Ｂとは、上下方向に互いに重なり合わないように上下方向の位置が互いに異なっている。ここで、上下方向は、近接方向と交差する方向の一例である。
【０１１１】
また、突出部１２７Ａと突出部１２７Ｂとは、上下方向の位置が互いに異なっているので、上述のように上方から見て互いに重なり合う部分を含む程度に大きく突き出しても、互いに接触することを避けることができる。これにより、第１コンタクト１０５Ａと第２コンタクト１０５Ｂとの短絡を防ぎつつ、突出部１２７Ａと突出部１２７Ｂを近接方向に大きく突き出させることができる。
【０１１２】
屈曲部１２９Ａ，１２９Ｂは、それぞれ、一端が第２延在部１２８Ａ，１２８Ｂの他端に接続されて、第２被保持部１２４Ａ，１２４Ｂが延びる方向へ曲がり、他端が第２被保持部１２４Ａ，１２４Ｂに接続される部位である。
【０１１３】
詳細には、第１コンタクト１０５Ａの屈曲部１２９Ａは、下端が第２延在部１２８Ａの上端に接続されて、前方へ曲がり、他端が第２被保持部１２４Ａの後端に接続されている。第２コンタクト１０５Ｂの屈曲部１２９Ｂは、下端が第２延在部１２８Ｂの上端に接続されて、前方へ曲がり、他端が第２被保持部１２４Ｂの後端に接続されている。
【０１１４】
これまで、本発明の一実施の形態に係るコネクタ１００の構成について説明した。ここから、本実施の形態に係るコネクタ１００を製造する方法の一例について説明する。
【０１１５】
固定ハウジング１０２と、可動ハウジング１０３と、左右の固定具１０４と、複数対の第１コンタクト１０５Ａ及び第２コンタクト１０５Ｂとが準備される。
【０１１６】
複数の第１コンタクト１０５Ａの第１被保持部１２３Ａが、固定ハウジング１０２の前方の板状部１０９Ａに設けられた複数の第１溝部１１２Ａのそれぞれに圧入される。これにより、複数の第１コンタクト１０５Ａが固定ハウジング１０２に固定される。ここで、圧入とは、力を加えて押し込むことをいう。
【０１１７】
複数の第２コンタクト１０５Ｂの第１被保持部１２３Ｂが、固定ハウジング１０２の後方の板状部１０９Ｂに設けられた複数の第１溝部１１２Ｂのそれぞれに圧入される。これにより、固定ハウジング１０２には複数の第１コンタクト１０５Ａに加えて、複数の第２コンタクト１０５Ｂが固定される。
【０１１８】
複数の第１コンタクト１０５Ａの第２被保持部１２４Ａが、可動ハウジング１０３に含まれる相互に連通した下方の第２溝部１１６Ａ及び孔部１１７Ａのそれぞれに圧入される。同時に、複数の第２コンタクト１０５Ｂの第２被保持部１２４Ｂが、可動ハウジング１０３に含まれる相互に連通した上方の第２溝部１１６Ｂ及び孔部１１７Ｂのそれぞれに圧入される。このとき、左右の被ガイド部１１４が、それぞれ、左方の前方延在部１０７及び後方延在部１０８の隙間と右方の前方延在部１０７及び後方延在部１０８の隙間とに嵌るように、固定ハウジング１０２に対する可動ハウジング１０３の位置が調整される。
【０１１９】
これにより、複数対の第１コンタクト１０５Ａ及び第２コンタクト１０５Ｂとの各々が、固定ハウジング１０２と可動ハウジング１０３との各々に固定される。
【０１２０】
左右の固定具１０４が、それぞれ、左右の被固定部１０６に設けられた貫通孔１１０に圧入される。このとき、固定具１０４の各々は、ツバ部１１９が可動ハウジング１０３の筒状部１１３の切り欠かれた部分の上面から予め定められた距離離れた位置まで押し込まれるとよい。
【０１２１】
これにより、コネクタ１００が完成する。
【０１２２】
本実施の形態に係るコネクタ１００では、対をなす第１コンタクト１０５Ａと第２コンタクト１０５Ｂとの各々の第１被保持部１２３Ａ，１２３Ｂが、固定ハウジング１０２に固定される。また、対をなす第１コンタクト１０５Ａと第２コンタクト１０５Ｂとの各々の第２被保持部１２４Ａ，１２４Ｂが、可動ハウジング１０３に固定される。第１被保持部１２３Ａ，１２３Ｂと第２被保持部１２４Ａ，１２４Ｂとの間は、弾性変形部１２５Ａ，１２５Ｂにより接続されている。そのため、弾性変形部１２５Ａ，１２５Ｂが弾性変形することによって、固定ハウジング１０２に対する可動ハウジング１０３の位置をずらすことができる。言い換えると、相手コネクタとの嵌合時に相手コネクタの嵌合部分の位置に応じて、嵌合部１１５に配置された第１コンタクト１０５Ａと第２コンタクト１０５Ｂの位置をずらすことができる。従って、本実施の形態に係るコネクタ１００は、フローティングコネクタである。
【０１２３】
この構成の場合、フローティング量は、弾性変形部１２５Ａ，１２５Ｂが塑性変形しない範囲、言い換えると、弾性変形部１２５Ａ，１２５Ｂが弾性変形できる範囲に制限される。フローティング量とは、上述の通り、可動ハウジング１０３の嵌合部１１５の位置をずらすことができる量を意味する。
【０１２４】
本実施の形態に係るコネクタ１００では、弾性変形部１２５Ａ，１２５Ｂが、それぞれ、近接方向に突き出す突出部１２７Ａ，１２７Ｂを含む。突出部１２７Ａ，１２７Ｂのそれぞれには、図６に示すように、その両端の間に開放した区間である開放領域ＯＲＡ，ＯＲＢが形成される。
【０１２５】
そのため、可動ハウジング１０３の嵌合部１１５の位置をずらす際に第１コンタクト１０５Ａと第２コンタクト１０５Ｂとのそれぞれに力が加わると、弾性変形部１２５Ａ，１２５Ｂは、開口区間ＯＲＡ，ＯＲＢの広さを変えて変形することができる。これにより、第１コンタクト１０５Ａと第２コンタクト１０５Ｂとは、突出部１２７Ａ，１２７Ｂが設けられていない従来のコンタクトに比べて、サイズを大きくしなくても、大きな範囲で弾性変形することができる。従って、コネクタ１００の全体的なサイズが大きくなることを抑えつつフローティング量を大きくすることが可能になる。
【０１２６】
本実施の形態に係る突出部１２７Ａ，１２７Ｂの各々は、近接方向に突き出している。これにより、第１コンタクト１０５Ａと第２コンタクト１０５Ｂとは、突出部１２７Ａ，１２７Ｂの一方又は両方が離間方向へ突き出す場合に比べて、前後方向のサイズを大きくしなくても大きな範囲で弾性変形することができる。従って、コネクタ１００の全体的なサイズが大きくなることを抑えつつフローティング量を大きくすることが可能になる。
【０１２７】
本実施の形態に係る突出部１２７Ａ，１２７Ｂの各々は、上下方向の位置が互いに異なっている。これにより、突出部１２７Ａ，１２７Ｂが近接して配置され、変形時などに互いに接触する可能性を低くすることができる。従って、より信頼性の高いコネクタ１００を提供することが可能になる。
【０１２８】
本実施の形態に係る突出部１２７Ａ，１２７Ｂの各々は、上方から見て互いに重なり合う部分を含む。これにより、第１コンタクト１０５Ａと第２コンタクト１０５Ｂとの前後方向の間隔を広げることなく、突出部１２７Ａ，１２７Ｂが突き出す大きさを大きくすることができる。これにより、弾性変形部１２５Ａ，１２５Ｂは、塑性変形せずに開放領域ＯＲＡ，ＯＲＢの広さをより大きな範囲で変えて変形することができる。従って、コネクタ１００の全体的なサイズが大きくなることを抑えつつフローティング量をより大きくすることが可能になる。
【０１２９】
本実施の形態に係る弾性変形部１２５Ａ，１２５Ｂは、それぞれ、突出部１２７Ａ，１２７Ｂに加えて、上述の第１延在部１２６Ａ，１２６Ｂ及び第２延在部１２８Ａ，１２８Ｂを含んで構成される。また、突出部１２７Ａ，１２７Ｂは、それぞれ、第１曲げ部１３０Ａ，１３０Ｂ、第１アーム部１３１Ａ，１３１Ｂ、第２曲げ部１３２Ａ，１３２Ｂ、連結部１３３Ａ，１３３Ｂ、第３曲げ部１３４Ａ，１３４Ｂ、第２アーム部１３５Ａ，１３５Ｂ及び第４曲げ部１３６Ａ，１３６Ｂを含んで構成される。このような比較的簡易な構成で、第１コンタクト１０５Ａと第２コンタクト１０５Ｂとに近接方向に突き出す突出部１２７Ａ，１２７Ｂを設けることができる。従って、簡易な構成で、かつ、コネクタ１００の全体的なサイズが大きくなることを抑えつつフローティング量を大きくすることが可能になる。
【０１３０】
本実施の形態に係る第１延在部１２６Ａ，１２６Ｂ及び第２延在部１２８Ａ，１２８Ｂの各々が延びる方向は、取付面部１１１と垂直な方向である。これにより、第１延在部１２６Ａ及び第２延在部１２８Ａが前方へ傾斜している場合に比べて、コンパクトな構成で第１コンタクト１０５Ａに突出部１２７Ａを設けることができる。また、第１延在部１２６Ｂ及び第２延在部１２８Ｂが後方へ傾斜している場合などに比べて、コンパクトな構成で第２コンタクト１０５Ｂに突出部１２７Ｂを設けることができる。従って、コネクタ１００の全体的なサイズが大きくなることを抑えつつフローティング量を大きくすることが可能になる。
【０１３１】
本実施の形態に係る突出部１２７Ａ，１２７Ｂは近接方向に突き出しており、この近接方向は、取付面部１１１と平行である。これにより、突出部１２７Ａ，１２７Ｂが取付面部１１１に対して傾斜している場合よりも、簡易な構成で、第１コンタクト１０５Ａと第２コンタクト１０５Ｂとに突出部１２７Ａ，１２７Ｂを設けることができる。従って、簡易な構成で、かつ、コネクタ１００の全体的なサイズが大きくなることを抑えつつフローティング量を大きくすることが可能になる。
【０１３２】
本実施の形態に係る嵌合部１１５は、取付面部１１１と平行な方向に沿って相手方コネクタに差し込むことによって当該相手方コネクタと嵌合する。これにより、取付面部１１１と平行な方向に沿って相手方コネクタと嵌合するタイプのフローティングコネクタにおいて、上述のように、コネクタ１００の全体的なサイズが大きくなることを抑えつつフローティング量を大きくすることが可能になる。
【０１３３】
以上、本発明の一実施の形態について説明したが、本実施の形態は、次のように変形されてもよい。
【０１３４】
例えば、対をなす第１コンタクトと第２コンタクトとの各々に含まれる弾性変形部は、近接方向又は離間方向へ突き出す突出部を含んでいればよく、このような弾性変形部は、上述の実施の形態に係る弾性変形部１２５Ａ，１２５Ｂに限られない。
【０１３５】
図７（ａ）に示すように、第１コンタクト２０５Ａの弾性変形部２２５Ａが離間方向に突き出す突出部２２７Ａを含んでもよい。また、図７（ｂ）に示すように、第２コンタクト３０５Ｂの弾性変形部３２５Ｂが離間方向に突き出す突出部３２７Ｂを含んでもよい。さらに、図７（ｃ）に示すように、第１コンタクト２０５Ａの弾性変形部２２５Ａと第２コンタクト３０５Ｂの弾性変形部３２５Ｂとのそれぞれが、離間方向に突き出す突出部２２７Ａと突出部３２７Ｂとを含んでもよい。
【０１３６】
なお、図７に示す第１コンタクト２０５Ａ及び第２コンタクト３０５Ｂのそれぞれは、上述の点を除いて、第１コンタクト１０５Ａ及び第２コンタクト１０５Ｂと同様の構成を備える。
【０１３７】
そして、第１コンタクト２０５Ａは、図７（ａ）に示すように第２コンタクト１０５Ｂと対をなして、例えば実施の形態と同様の固定ハウジング１０２及び可動ハウジング１０３に保持されてコネクタを構成することができる。また、第２コンタクト３０５Ｂは、図７（ｂ）に示すように第１コンタクト１０５Ｂと対をなして、例えば実施の形態と同様の固定ハウジング１０２及び可動ハウジング１０３に保持されてコネクタを構成することができる。さらに、第２コンタクト３０５Ｂは、図７（ｃ）に示すように第１コンタクト２０５Ｂと対をなして、例えば実施の形態と同様の固定ハウジング１０２及び可動ハウジング１０３に保持されてコネクタを構成することができる。
【０１３８】
これらの変形例では、弾性変形部２２５Ａ，３２５Ｂは、それぞれ、離間方向に突き出す突出部２２７Ａ，３２７Ｂを含む。突出部２２７Ａ，３２７Ｂのそれぞれには、実施の形態に係る突出部１２７Ａ，１２７Ｂと同様に、図７に示すように、その両端の間に開放した区間である開放領域ＯＲＡ，ＯＲＢが形成される。
【０１３９】
そのため、可動ハウジング１０３の嵌合部１１５の位置をずらす際に第１コンタクト２０５Ａに力が加わると、弾性変形部２２５Ａは、実施の形態に係る弾性変形部１２５Ａと同様に、開口区間ＯＲＡの広さを変えて変形することができる。また、弾性変形部３２５Ｂは、実施の形態に係る弾性変形部１２５Ｂと同様に、開口区間ＯＲＢの広さを変えて変形することができる。
【０１４０】
これにより、第１コンタクト２０５Ａと第２コンタクト３０５Ｂとは、突出部２２７Ａ，３２７Ｂが設けられていない従来のコンタクトに比べて、サイズを大きくしなくても、大きな範囲で弾性変形することができる。すなわち、第１コンタクト２０５Ａと第２コンタクト３０５Ｂとは、同程度のサイズの従来のコンタクトと比べて、大きなフローティング量を実現することができる。従って、コネクタ１００の全体的なサイズが大きくなることを抑えつつフローティング量を大きくすることが可能になる。
【０１４１】
また、これらの変形例によれば、この他にも、突出部１２７Ａ，１２７Ｂがいずれも近接方向に突き出すことに伴う効果を除いて、実施の形態と同様の効果を奏する。
【０１４２】
すなわち、これらの変形例に係る突出部２２７Ａ，３２７Ｂは離間方向に突き出しており、この離間方向は、取付面部１１１と平行である。従って、実施の形態と同様に、簡易な構成で、かつ、コネクタ１００の全体的なサイズが大きくなることを抑えつつフローティング量を大きくすることが可能になる。
【０１４３】
また、これらの変形例においても、嵌合部１１５は、取付面部１１１と平行な方向に沿って相手方コネクタに差し込むことによって当該相手方コネクタと嵌合することができる。従って、実施の形態と同様に、取付面部１１１と平行な方向に沿って相手方コネクタと嵌合するタイプのフローティングコネクタにおいて、コネクタ１００の全体的なサイズが大きくなることを抑えつつフローティング量を大きくすることが可能になる。
【０１４４】
また例えば、実施の形態では突出部１２７Ａ，１２７Ｂの各々が矩形状をなす例により説明したが、突出部１２７Ａ，１２７Ｂの形状は適宜変更されてもよい。
【０１４５】
例えば、図８（ａ）に示すように、突出部４２７Ａ及び突出部４２７Ｂは、台形状であってもよい。第１コンタクト４０５Ａに含まれる弾性変形部４２５Ａの突出部４２７Ａは、後方へ向かって上下方向の幅が次第に狭くなる台形状をなしている。第２コンタクト４０５Ｂに含まれる弾性変形部４２５Ｂの突出部４２７Ｂは、前方へ向かって上下方向の幅が次第に狭くなる台形状をなしている。
【０１４６】
また例えば、図８（ｂ）に示すように、突出部５２７Ａ及び突出部５２７Ｂは、湾曲していてもよい。第１コンタクト５０５Ａに含まれる弾性変形部５２５Ａの突出部５２７Ａは、概ね半円状の部分を含んで構成されている。第２コンタクト５０５Ｂに含まれる弾性変形部５２５Ｂの突出部５２７Ｂも、同様に、概ね半円状の部分を含んで構成されている。
【０１４７】
なお、図８に示す第１コンタクト４０５Ａ，５０５Ａ及び第２コンタクト４０５Ｂ，５０５Ｂのそれぞれは、上述の点を除いて、第１コンタクト１０５Ａ及び第２コンタクト１０５Ｂと同様に構成される。
【０１４８】
このような変形例によっても、実施の形態と同様の効果を奏する。
【０１４９】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【符号の説明】
【０１５０】
１００ コネクタ
１０１  基板
１０２  固定ハウジング
１０３  可動ハウジング
１０４  固定具
１０５Ａ，２０５Ａ，４０５Ａ，５０５Ａ  第１コンタクト
１０５Ｂ，３０５Ｂ，４０５Ｂ，５０５Ｂ  第２コンタクト
１０６  被固定部
１０７  前方延在部                左右
１０８  後方延在部                左右
１０９Ａ，１０９Ｂ  板状部        前後
１１０  貫通孔
１１１  取付面部
１１２Ａ，１１２Ｂ  第１溝部
１１３  筒状部
１１４  被ガイド部
１１５  嵌合部
１１６Ａ，１１６Ｂ  第２溝部      下上
１１７Ａ，１１７Ｂ  孔部
１１８  挿設部
１１９  ツバ部
１２０  基板固定部
１２１  基板孔
１２２Ａ，１２２Ｂ  基板接続部
１２３Ａ，１２３Ｂ  第１被保持部
１２４Ａ，１２４Ｂ  第２被保持部
１２５Ａ，１２５Ｂ，２２５Ａ，３２５Ｂ，４２５Ａ，４２５Ｂ，５２５Ａ，５２５Ｂ  弾性変形部
１２６Ａ，１２６Ｂ  第１延在部
１２７Ａ，１２７Ｂ，２２７Ａ，３２７Ｂ，４２７Ａ，４２７Ｂ，５２７Ａ，５２７Ｂ  突出部
１２８Ａ，１２８Ｂ  第２延在部
１２９Ａ，１２９Ｂ  屈曲部
１３０Ａ，１３０Ｂ  第１曲げ部
１３１Ａ，１３１Ｂ  第１アーム部
１３２Ａ，１３２Ｂ  第２曲げ部
１３３Ａ，１３３Ｂ  連結部
１３４Ａ，１３４Ｂ  第３曲げ部
１３５Ａ，１３５Ｂ  第２アーム部
１３６Ａ，１３６Ｂ  第４曲げ部
ＯＲＡ，ＯＲＢ  開放区間
【図１】
2019129084.tif 000003
【図２】
2019129084.tif 000004
【図３】
2019129084.tif 000005
【図４】
2019129084.tif 000006
【図５】
2019129084.tif 000007
【図６】
2019129084.tif 000008
【図７】
2019129084.tif 000009
【図８】
2019129084.tif 000010
【図９】
2019129084.tif 000011